(57)【要約】【課題】既存のコンセントを占有せずに電力通信を可能とする。【解決手段】ハウジング１前面の略中央には通信ケーブルの先端に付設されているモジュラプラグが挿抜自在に接続されるモジュラジャック３の差込口３ａが露出している。ハウジング１内には端子部４や通信インタフェース部５が収納される。端子部４と通信インタフェース部５とは絶縁トランスＴを介して接続される。而して、造営面（壁面）の裏側で端子部４により電力線と通信インタフェース部５とが接続されるため、電力線との接続用にコンセントを占有せずに電力通信を行うことができる。しかも、ハウジング１前面に設けられた栓刃挿入口２０に電源プラグの栓刃を挿入すれば、ハウジング１内の刃受け２１を介して電源プラグが電力線に接続されて電源プラグに給電することも可能である。【選択図】        図１
2006319666.tif 000002
【特許請求の範囲】
【請求項１】
造営面に設けられた埋込孔に後端部を埋め込む形で埋込配設される略箱形のハウジングと、ハウジングに設けられ電力線が接続される端子部と、ハウジング内に収納され端子部に接続された電力線を介して電力線通信用の信号を変復調する電力線通信用モデムと、ハウジング内に収納され電力線通信用モデムと通信機器とのインタフェースを行う通信インタフェースと、ハウジングの前面に設けられ通信機器と通信インタフェースとを接続する通信ケーブルが挿抜自在に挿着されるコネクタと、ハウジング内に収納され端子部を介して電力線に接続される刃受けとを備え、ハウジングは、埋込型の配線器具用に規格化されている１連の取付枠を用いて造営面に埋込配設されるとともに電源プラグの栓刃が挿入される栓刃挿入口が前面に設けられたことを特徴とする電力線通信用配線器具。
【請求項２】
ハウジング内に収納され、電力線通信用モデムの動作状態をハウジング前面に露設された表示素子によって表示する表示部を備えたことを特徴とする請求項１記載の電力線通信用配線器具。
【請求項３】
ハウジング内に収納され、電力線を介して供給される交流電源から電力線通信用モデムや通信インタフェースなどの動作電源を作成する電源部を備えたことを特徴とする請求項１又は２記載の電力線通信用配線器具。
【請求項４】
コネクタは、通信ケーブルの先端に付設されているモジュラプラグが挿入されるプラグ挿入口を有し、プラグ挿入口をハウジングの前面側に露出する位置とハウジング内に収納する位置との間で回動自在に設けられたことを特徴とする請求項１〜３の何れかに記載の電力線通信用配線器具。
【発明の詳細な説明】
【技術分野】
【０００１】
本発明は、オフィスや住宅等の屋内に配線された電力線を利用してデータ通信を行うための電力線通信用配線器具に関するものである。
【背景技術】
【０００２】
近年、オフィスや住宅においても複数台のコンピュータをつないだローカル・エリア・ネットワーク（ＬＡＮ）が急速に普及している。このようなＬＡＮにおいてコンピュータ間を接続する通信媒体として、通常、通信ケーブル（いわゆるＬＡＮケーブル）が用いられるが、既設のオフィスや住宅に新たにＬＡＮを導入する場合には配線工事の手間や費用を考慮して電波による無線方式が採用される場合もある（例えば、特許文献１参照）。
【特許文献１】特開２００５−７９９７７号公報
【発明の開示】
【発明が解決しようとする課題】
【０００３】
ところで、従来より給電用の屋内配線（電力線）を利用してデータ通信を行う電力線通信（Powre Line Communication）が提案されているが、かかる電力線通信には電力と通信用信号の重ね合わせや分離を行なう装置（ＰＬＣモデム）が必要であり、このようなＰＬＣモデムは、電源コードを介して壁面に設けられたコンセントに接続されるとともに通信ケーブルを介してコンピュータ等の通信機器に接続される。しかしながら、ＰＬＣモデムがコンセントを占有してしまうので、コンピュータや他の機器の電源を確保するためにテーブルタップ等を用いる必要が生じてしまう。
【０００４】
本発明は上記事情に鑑みてなされたものであり、その目的は、既存のコンセントを占有せずに電力通信が可能となる電力通信用配線器具を提供することにある。
【課題を解決するための手段】
【０００５】
請求項１の発明は、上記目的を達成するために、造営面に設けられた埋込孔に後端部を埋め込む形で埋込配設される略箱形のハウジングと、ハウジングに設けられ電力線が接続される端子部と、ハウジング内に収納され端子部に接続された電力線を介して電力線通信用の信号を変復調する電力線通信用モデムと、ハウジング内に収納され電力線通信用モデムと通信機器とのインタフェースを行う通信インタフェースと、ハウジングの前面に設けられ通信機器と通信インタフェースとを接続する通信ケーブルが挿抜自在に挿着されるコネクタと、ハウジング内に収納され端子部を介して電力線に接続される刃受けとを備え、ハウジングは、埋込型の配線器具用に規格化されている１連の取付枠を用いて造営面に埋込配設されるとともに電源プラグの栓刃が挿入される栓刃挿入口が前面に設けられたことを特徴とする。
【０００６】
請求項２の発明は、請求項１の発明において、ハウジング内に収納され、電力線通信用モデムの動作状態をハウジング前面に露設された表示素子によって表示する表示部を備えたことを特徴とする。
【０００７】
請求項３の発明は、請求項１又は２の発明において、ハウジング内に収納され、電力線を介して供給される交流電源から電力線通信用モデムや通信インタフェースなどの動作電源を作成する電源部を備えたことを特徴とする。
【０００８】
請求項４の発明は、請求項１〜３の何れかの発明において、コネクタは、通信ケーブルの先端に付設されているモジュラプラグが挿入されるプラグ挿入口を有し、プラグ挿入口をハウジングの前面側に露出する位置とハウジング内に収納する位置との間で回動自在に設けられたことを特徴とする。
【発明の効果】
【０００９】
本発明によれば、屋内配線によって電力線通信用モデムと電力線とを接続するため、既存のコンセントを占有せずに電力通信が可能になり、しかも、刃受けを介して栓刃挿入口に挿入される電源プラグに給電することができるという効果がある。
【発明を実施するための最良の形態】
【００１０】
（実施形態１）
以下、図１〜図３を参照して本発明の実施形態１を詳細に説明する。
【００１１】
本実施形態の電力線通信用配線器具Ａ１は、図１に示すように壁面などの造営面に設けられた埋込孔に後端部を埋め込む形で埋込配設される略箱形のハウジング１と、ハウジング１に取り付けられた取付枠２とを備える。取付枠２は、ＪＩＳ  Ｃ  ８３３６で規格化されている１個用のスイッチボックスに取り付けられる１連の取付枠（ＪＩＳ  Ｃ  ８３７５で規格化されている大角形連用配線器具の取付枠）に相当する。取付枠２の上側及び下側の各部にはスイッチボックスに取り付けるためのボックス取付ねじが挿通されるねじ挿通孔２ａと、後述するプレート５０を取り付けるためのプレートねじが螺合するねじ孔２ｂとが設けられている。
【００１２】
ハウジング１は、前面が開口した箱形のボディ１ａと、ボディ１ａの前面を閉塞するカバー１ｂとで構成され、取付枠２に設けられた組立枠２ｃにボディ１ａ及びカバー１ｂの側面に突設されている嵌合突起１ｃを嵌合することでボディ１ａとカバー１ｂが結合されるものである。またハウジング１の前面上部には、通信ケーブル（ＣＡＴ５のＬＡＮケーブル）の先端に付設されているコネクタ（ＲＪ−４５のモジュラプラグ）が挿抜自在に接続される受け側コネクタ（ＲＪ−４５のモジュラジャック３）の差込口３ａが露出している。この差込口３ａは上下方向に移動自在である２枚の扉３ｂ，３ｃによって開閉自在に閉塞され、扉３ｂ，３ｃを開けた状態でモジュラプラグが挿抜自在に挿着される。なお、下側の扉３ｃの下端には前方へ突出するつまみ３ｄが突設されており、このつまみ３ｄを持って扉３ｂ，３ｃを上方へ移動させることで差込口３ａを露出させることができる。また、ハウジング１前面の差込口３ａの上方には表示素子（発光ダイオード）ＬＤが露出している。さらにハウジング１の前面下部には、電源プラグの栓刃が挿入される一対の栓刃挿入口２０，２０が設けられ、ハウジング１内には栓刃挿入口２０に挿入された栓刃を受ける一対の刃受け２１，２１が収納されている。
【００１３】
図２は電力線通信用配線器具Ａ１の回路構成を示すブロック図である。端子部４は従来周知のねじなし端子（いわゆる速結端子）からなり、屋内に配線されている電力線が接続されるものである。端子部４には直流カット用のコンデンサＣ並びに絶縁トランスＴを介して通信インタフェース部５が接続されるとともにＡＣ／ＤＣコンバータからなる電源部６、並びに一対の刃受け２１，２１が接続されている。
【００１４】
通信インタフェース部５は、絶縁トランスＴの２次側に接続されて電力線との間で電力線通信用の信号（以下、通信信号と呼ぶ。）を送受信するための送受信部７と、電力線に重畳して伝送される所定形式の通信信号からデータ信号を復調する復調機能並びにコンピュータなどの通信機器側の送信データを所定形式の通信信号に変調する変調機能を有するＰＬＣモデム８と、モジュラジャック３に接続される通信ケーブルを介して通信機器との間で１００ＢＡＳＥ−ＴＸなどの規格に準拠してデータ伝送を行うためのＬＡＮコントローラ９と、ＣＰＵを主構成要素とし、通信インタフェース部５全体の制御を行う制御部１０とを具備する。制御部１０は、例えばＰＬＣモデム８とＬＡＮコントローラ９との間で授受するデータ（パケット）のフィルタリングなどのセキュリティ機能や、データ伝送中であることを知らせるために表示部１１を制御して表示部１１が有する表示素子ＬＤを発光させる機能等を有している。なお、通信インタフェース部５は電源部６で作成される直流電源によって動作する。
【００１５】
図３は本実施形態の電力線通信用配線器具Ａ１を埋込孔に埋込配設した状態を示している。プレート５０は、プレートねじによって電力線通信用配線器具Ａ１の取付枠２に固定されるプレート枠（図示せず）と、電力線通信用配線器具Ａ１のハウジング１前面を露出する窓孔５１ａを有してプレート枠の前面を覆うようにプレート枠に取り付けられる化粧プレート５１とで構成される。ここで、ハウジング１の背面には電力線が挿入される電線挿入口（図示せず）が設けられ、電線挿入口を通してハウジング１内に挿入された電力線を端子部４と結線することによって電力線通信用配線器具Ａ１が電力線に接続される。
【００１６】
上述のように本実施形態の電力線通信用配線器具Ａ１は、造営面（壁面）の裏側で端子部４により電力線と接続されるため、電力線との接続用にコンセントを占有せずに電力通信を行うことができる。しかも、ハウジング１前面に設けられた栓刃挿入口２０に電源プラグの栓刃を挿入すれば、ハウジング１内の刃受け２１を介して電源プラグが電力線に接続されて電源プラグに給電することも可能である。
【００１７】
（実施形態２）
図４に本発明の他の実施形態を示す。但し、本実施形態の電力線通信用配線器具Ａ２の基本構成は実施形態１の電力線通信用配線器具Ａ１とほぼ共通であるから、共通の構成要素には同一の符号を付して説明を省略する。
【００１８】
本実施形態の電力線通信用配線器具Ａ２は、モジュラジャック３がプラグ挿入口３ａをハウジング１の前面側に露出する位置（図４（ｂ）参照）とハウジング１内に収納する位置（図４（ａ）参照）との間で回動自在に設けられている。ハウジング１の前面中央に凹所が設けられ、この凹所内にモジュラジャック３を保持した可動体３０が回動自在に収納される。
【００１９】
可動体３０は略三角柱状に形成され、下面にプラグ挿入口３ａを露出させた状態でモジュラジャック３を内部に納装するとともに、前面には表示素子ＬＤが露設されている。可動体３０の左右両側面の上部には軸突起（図示せず）がそれぞれ突設されており、これらの軸突起がハウジング１の凹所側面に設けられた軸受け孔（図示せず）に挿通されることで可動体３０がハウジング１に対して前後方向に回動自在に軸支されている。ここで、軸突起にはねじりコイルばね（図示せず）が外挿され、プラグ挿入口３ａをハウジング１の前面側に露出する位置に向けて可動体３０が弾性付勢されている。
【００２０】
また、ハウジング１前面の下端部には可動体３０を凹所内に収納した状態で係止固定する係止固定部３１が設けられている。すなわち、可動体３０が凹所内に収納された状態では係止固定部３１の係止片（図示せず）が可動体３０に設けられた被係止部（図示せず）に係止することでねじりコイルばねのばね力に抗して可動体３０を凹所内に収納した状態に保持することができる（図４（ａ）参照）。さらに、係止固定部３１はハウジング１に対して撓み自在に設けられており、係止固定部３１の前面を指で押操作して撓ませることにより、係止片と被係止部との係止が外れてねじりコイルばねのばね力で可動体３０が前方に向かって回動し、プラグ挿入口３ａがハウジング１の前面側に露出することになる（図４（ｂ）参照）。
【００２１】
而して、モジュラジャック３に通信ケーブルのモジュラプラグを接続するときにだけ可動体３０を回動してプラグ挿入口３ａをハウジング１の前面側に露出させ、その他のときには可動体３０を凹所内に収納しておくことができるから、使用時以外における電力線通信用配線器具Ａ２の外観上の見栄えが向上するものである。
【図面の簡単な説明】
【００２２】
【図１】本発明の実施形態１を示し、（ａ）は正面図、（ｂ）は右側面図である。
【図２】同上の回路ブロック図である。
【図３】同上を埋込配設した状態を示す斜視図である。
【図４】本発明の実施形態２を示し、（ａ）は可動体がハウジングの凹所内に収納された状態の斜視図、（ｂ）は可動体がハウジングの凹所から引き出された状態の斜視図である。
【符号の説明】
【００２３】
１  ハウジング
２  取付枠
３  モジュラジャック
４  端子部
５  通信インタフェース部
６  電源部
７  送受信部
８  ＰＬＣモデム
９  ＬＡＮコントローラ
【図１】
2006319666.tif 000003
【図２】
2006319666.tif 000004
【図３】
2006319666.tif 000005
【図４】
2006319666.tif 000006